(57)【要約】      （修正有）【課題】接続が簡便であり、また留め金内径と取り付け口外径との間の差があっても留め金と取り付け口を密着した状態で固定することのできる、無菌動物飼育装置の取り付け口用の留め金、及びこの留め金を備えた無菌動物飼育装置を提供する。【解決手段】留め金は、脚部８、パッチン錠を具備する取り付け部２、及びホックを具備する取り付け部７を有し、パッチン錠を具備する取り付け部とホックを具備する取り付け部が共に脚部に固定され、パッチン錠を具備する取り付け部はつまみ３及びパッチン錠の可動部５を有し、ホックを具備する取り付け部はホック６を有し、パッチン錠の可動部をホックに引っかけてからつまみを倒すことにより、両方の取り付け部と固定することができるように構成されている。【選択図】図２
0003211411.tif 000002
【実用新案登録請求の範囲】
【請求項１】
パッチン錠を具備する無菌動物飼育装置の取り付け口用の留め金。
【請求項２】
パッチン錠が長さ調節機構を具備する、請求項１に記載の留め金。
【請求項３】
留め金が、脚部、パッチン錠を具備する取り付け部、及びホックを具備する取り付け部を有する、請求項１又は２に記載の留め金。
【請求項４】
請求項１〜３のいずれか１項に記載の留め金を備えた、無菌動物飼育装置。
【考案の詳細な説明】
【技術分野】
【０００１】
本考案は、無菌動物飼育装置に関し、より詳細には無菌動物飼育装置の取り付け口用の留め金に関する。
【背景技術】
【０００２】
従来の無菌動物飼育装置は、取り付け口の留め金の大きさが固定されており、留め金の内径と装置本体側の外径との間に微小な差があると、留め金は有効に取り付け口を固定することができないという不便があった。無菌動物飼育装置側の取り付け口は、プラスチック材料である場合が多く、これは温度によって膨張収縮があり、外径が一定とは限らない。
また従来の無菌動物飼育装置は、取り付け口の留め金が脚部で固定されており、そのため取り付け口との取り付け及び取り外しには、留め金を支える脚部のネジの一部又は全部をその都度ドライバーで外す必要があり不便であった。
【考案の概要】
【考案が解決しようとする課題】
【０００３】
本考案は、留め金の接続が簡便であり、また留め金内径と取り付け口外径との間の差があっても留め金と取り付け口を密着した状態で固定することのできる無菌動物飼育装置の取り付け口用の留め金、及び該留め金を備えた無菌動物飼育装置を提供することを目的とする。
【課題を解決するための手段】
【０００４】
本考案は、上記の問題を解決するために、パッチン錠を備えた無菌動物飼育装置の取り付け口用の留め金を提供する。
本考案は以下の実施形態１〜４を含む：
実施形態１  パッチン錠を具備する無菌動物飼育装置の取り付け口用の留め金。   
実施形態２  パッチン錠が長さ調節機構を具備する、実施形態１に記載の留め金。    
実施形態３  留め金が、脚部、パッチン錠を具備する取り付け部、及びホックを具備する取り付け部を有する実施形態１又は２に記載の留め金。    
実施形態４  実施形態１〜３のいずれかに記載の留め金を備えた、無菌動物飼育装置。
【考案の効果】
【０００５】
本考案により、留め金の接続にあたり、留め金を支える脚部のネジの一部又は全部を毎回ドライバーで外すことなく、パッチン錠の取り付け及び取り外しのみで、留め金を簡便に固定又は取り外しできる。
本考案により、留め金の接続にあたり、留め金の内径と取り付け口外径との間に差がある場合にも、パッチン錠の備える長さ調節機構により簡便に長さを調節することができ、留め金と取り付け口を密着した状態で固定することができる。
【図面の簡単な説明】
【０００６】
【図１】ある実施形態における、本考案の無菌動物飼育装置の取り付け口用の留め金を上部からみた図である。留め金はパッチン錠を具備する。図には円筒状の取り付け口も示されている。
【図２】ある実施形態における、本考案の無菌動物飼育装置の取り付け口用の留め金の、取り付け口側正面から見た正面図である。留め金は、脚部及び２つの取り付け部を有する。一方の取り付け部はホックを有し（図では左）、他方の取り付け部はパッチン錠を具備する（図では右）。
【図３】ある実施形態における、本考案の留め金のパッチン錠部分の図である。パッチン錠のつまみ部分を図示されている矢印方向に引くことで、留め金全体が締まる。
【図４】図３の動作を横から見た図である。
【図５】別の実施形態における、本考案の無菌動物飼育装置の取り付け口用の留め金を上部からみた図である。留め金はパッチン錠を具備する。図には円筒状の取り付け口も示されている。
【図６】別の実施形態における、本考案の留め金のパッチン錠部分の図である。パッチン錠のつまみ部分を図示されている矢印方向に引くことで、留め金全体が締まる。
【図７】図６の動作を横から見た図である。
【図８】パッチン錠を具備する取り付け部を脚部に固定した写真である。
【図９】他方の取り付け部を脚部に固定した写真である。
【図１０】従来の無菌動物飼育装置の取り付け口用の留め金の写真である。留め金は、脚部及び取り付け部を有し、脚部と取り付け部とは、４本のネジにより固定されている。
【考案を実施するための形態】
【０００７】
以下、図面を参照しながら本考案を説明する。
本考案は、パッチン錠を備えた無菌動物飼育装置の取り付け口用の留め金（以下、本考案の留め金ということがある）を提供する。本考案の留め金はパッチン錠を備えている。パッチン錠は、スナップ錠（snap latch）、トグルラッチ（toggle latch）、ドローラッチ（draw latch）ともいう。本考案の留め金には市販されているパッチン錠を使用しうる。本考案の留め金は金属製、ステンレス製、アルミ製、鋼製などであり得る。本考案の留め金のパッチン錠は金属製、ステンレス製、アルミ製、鋼製などであり得る。
【０００８】
ある実施形態において、本考案の留め金は、脚部及び２つの取り付け部を有する。一方の取り付け部は突起（例えばホック、図２左参照）を有し、他方の取り付け部はパッチン錠本体を具備する（例えば図２右参照）。
【０００９】
本考案のパッチン錠は、突起及びパッチン錠本体から構成される。突起はホックのような形状でありうる。これにパッチン錠本体の可動部分を引っかける（図４(b)）。次いでつまみ（レバー）を図４であれば突起から離れる方向に引き上げてから倒し、図７であれば突起に近づく方向に引き上げてから倒し、留め金を固定する。本考案のパッチン錠はトグル機構を備えていてもよい。
【００１０】
脚部と、それぞれの取り付け部は、ドライバーを用いて、ネジにより固定することができる。
【００１１】
本考案のパッチン錠は、長さ調節機構を備えることができる。長さ調節機構としては、バネ又はネジが挙げられる。例として図３及び図６にはネジを有するパッチン錠を示す。ネジの場合、パッチン錠の可動部分を回転させることによりパッチン錠全体の長さの調節が可能である。好ましくは本考案のパッチン錠は締結力が高いものであり、これにより、留め金と無菌動物飼育装置の取り付け口とを、強固に固定することができる。
【００１２】
[第１実施形態]
第１実施形態のパッチン錠を図１、３、４に示す。図３に示すパッチン錠のつまみ部分の動作により留め金を固定する。また第１実施形態のパッチン錠を有する留め金を図８及び９に示す。図８ではパッチン錠を有する取り付け部が、ドライバー及びネジにより脚部に固定されている。図９では、他方の取り付け部が固定されている。次に円筒状の取り付け口をはめ込み、パッチン錠で図３又は４のように固定する。
【００１３】
[第２実施形態]
第２実施形態のパッチン錠を図５、６、７に示す。図６又は７に示すパッチン錠のつまみ部分の動作により留め金を固定する。留め金の組み立てや取り付けは、第１実施形態の場合と同じである。
【００１４】
[その他の実施形態]
以上、本考案を代表的な第１実施形態及び第２実施形態を例示して説明したが、本考案を適用可能な形態はこれらに限定されるものではなく、適宜、構成要素を追加したり、省略したり、変更することができる。
【００１５】
例えば、ある実施形態において、脚部と一方又は両方の取り付け部とが予め一体化されたものを使用しうる。例えば、ある実施形態において、脚部及び各取り付け部は、それぞれさらに分解した構成とすることができる。例えばある実施形態において、パッチン錠の位置を、取り付け口からみて上面ではなく、側面に配置されるようにすることもできる。ある実施形態において、パッチン錠は複数を直列的に用いることも可能である。この場合はパッチン錠の数だけ取り付け部の数も増やすことができる。
【００１６】
本考案の留め金を用いて無菌動物飼育装置の取り付け口とを固定することができる。ある実施形態において、本考案の留め金を備えた無菌動物飼育装置が提供される。無菌動物飼育装置の取り付け口の形状は、本考案の留め金と合致するものとすることができる。取り付け口の形状としては円筒形状が挙げられるがこれに限らない。無菌動物飼育装置は任意の公知のものであり得る。
【産業上の利用可能性】
【００１７】
本考案は無菌動物飼育装置に利用することができる。
【符号の説明】
【００１８】
１：取り付け口
２：パッチン錠を具備する取り付け部
３：つまみ
４：長さ調節機構
５：パッチン錠の可動部
６：ホック
７：ホックを具備する取り付け部
８：脚部
９：ネジ
【図１】
0003211411.tif 000003
【図２】
0003211411.tif 000004
【図３】
0003211411.tif 000005
【図４】
0003211411.tif 000006
【図５】
0003211411.tif 000007
【図６】
0003211411.tif 000008
【図７】
0003211411.tif 000009
【図８】
0003211411.tif 000010
【図９】
0003211411.tif 000011
【図１０】
0003211411.tif 000012
【手続補正書】
【提出日】平成29年5月12日(2017.5.12)
【手続補正１】
【補正対象書類名】実用新案登録請求の範囲
【補正対象項目名】請求項３
【補正方法】変更
【補正の内容】
【請求項３】
留め金が、脚部、パッチン錠を具備する取り付け部、及びホックを具備する取り付け部を有し、
パッチン錠を具備する取り付け部が脚部に固定されており、
ホックを具備する取り付け部が脚部に固定されており、
パッチン錠を具備する取り付け部はつまみ及びパッチン錠の可動部を有し、
ホックを具備する取り付け部はホックを有し、
パッチン錠の可動部をホックに引っかけてからつまみを倒すことにより、パッチン錠を具備する取り付け部とホックを具備する取り付け部とを固定することができるよう、パッチン錠を具備する取り付け部及びホックを具備する取り付け部が構成されている、
請求項１又は２に記載の留め金。